(57)【要約】      （修正有）【課題】こぼれた飲食物が前身頃部の左右方向に飛び出すこと、首元から前身頃部の裏側に落ちることを防ぎ、卓上部が食卓上から滑り落ち難くする食事用エプロンを提供する。【解決手段】着用者の首に留める首掛部１、着用者の胸の前側に垂らす前身頃部２、こぼれた飲食物を受け止める受止部３と、食卓上に敷く卓上部４を設けている食事用エプロンにおいて、前身頃部は、左右の両側にそれぞれタック１６を設け、縦方向の長さを左右の両側部で中央部より短くし、食事用エプロンがほぼＬ形状に曲がる着用時、前身頃部は、左右の側部が前側に湾曲して、左右の両側に側壁が突出する溝形状になる構成にしている。卓上部は、裏面に滑り止めシート１７を付けている。首掛部は、着用者の首前部に接する伸縮性のある襟１４を付けている。【選択図】図１
0003195240.tif 000002
【実用新案登録請求の範囲】
【請求項１】
着用者の首に留める首掛部、着用者の胸の前側に垂らす前身頃部、こぼれた飲食物を受け止める受止部と、食卓上に敷く卓上部を設けている食事用エプロンにおいて、
前身頃部は、左右の両側にそれぞれタックを設け、縦方向の長さを左右の両側部で中央部より短くし、
食事用エプロンがほぼL形状に曲がる着用時、前身頃部は、左右の側部が前側に湾曲して、左右の両側に側壁が突出する溝形状になる構成にしていることを特徴とする食事用エプロン。
【請求項２】
左右のタックは、それぞれ、３本にしていることを特徴とする請求項１に記載の食事用エプロン。
【請求項３】
卓上部は、裏面に滑り止めシートを付けていることを特徴とする請求項１又は２に記載の食事用エプロン。
【請求項４】
滑り止めシートは、ウレタン系樹脂を含む合成樹脂シートにしていることを特徴とする請求項３に記載の食事用エプロン。
【請求項５】
首掛部は、着用者の首前部に接する伸縮性のある襟を付けていることを特徴とする請求項１〜４のいずれかに記載の食事用エプロン。
【請求項６】
襟の生地は、伸縮性のあるメリヤス編みの生地にしていることを特徴とする請求項５に記載の食事用エプロン。
【請求項７】
襟の生地は、スムース素材にしていることを特徴とする請求項５又は６に記載の食事用エプロン。
【考案の詳細な説明】
【技術分野】
【０００１】
本考案は、食卓での食事時に食べこぼしや飲みこぼしを受ける食事用エプロンに関する。
【背景技術】
【０００２】
食事の介助を受ける者は、食べこぼしや飲みこぼしによって衣服、食卓や床が汚れることを防ぐため、食事用のエプロンを着用する。
食事用エプロンは、縦長の長尺タイプがある。下端部は、食卓上に敷く卓上部にしている。
この種の食事用エプロンは、上から下に順次、着用者の首に留める首掛部、着用者の胸の前側に垂らす前身頃部、こぼれた飲食物を受け止める受止部と、食卓上に敷く卓上部を設けている。
【先行技術文献】
【特許文献】
【０００３】
【特許文献１】登録実用新案第３１８８６５７号公報
【考案の概要】
【考案が解決しようとする課題】
【０００４】
［課  題］
上記のような食事用エプロンでは、着用者からこぼれた飲食物は、前身頃部の前側を落下する際、前身頃部の左端又は右端から外側に飛び出てしまい、受止部に落ちないことがある。
また、食卓上の卓上部が着用者側に滑り落ち、卓上部と受止部が前身頃部の下側に垂れ下がることがある。その様なときには、こぼれた飲食物は、垂れ下がった受止部の前側を落下して受止部に受け止められない。
また、着用者の首前部と首掛部の襟との間に隙間ができ、こぼれた飲食物がその隙間から前身頃部の裏側に落下して受止部に受け止められないことがある。
着用者からこぼれた飲食物は、受止部に受け止められることが望まれる。
【０００５】
［着  想］
上記のような食事用エプロンでは、着用時、前身頃部が左右の両側に側壁が突出する溝形状になると、その側壁で飲食物の左方又は右方への飛び出しを防ぐことができる。そこで、前身頃部は、左右の両側にそれぞれタックを設けることにした。左右のタックによって縦方向の長さは、左右の両側が中央より短くなる。すると、食事用エプロンがほぼL形状に曲がる着用時、前身頃部は、左右の側部が前側に湾曲して、左右の両側に側壁が突出する溝形状になる。タックは、前身頃部の布を摘まんで縫ったひだである。実施例では、左右３本ずつにしている。タックは、製作が簡単である。
【０００６】
また、卓上部は、裏面に滑り止めシートを付ける。食卓上から滑り落ち難くなる。滑り止めシートは、安価な市販品が多い。実施例では、ウレタン系樹脂を含む合成樹脂シートにしている。滑り止め処理が簡単である。
【０００７】
また、首掛部は、着用者の首前部に接する伸縮性のある襟を付ける。着用者の首前部と首掛部の襟との間に隙間ができ難くなる。襟の生地は、伸縮性のあるメリヤス編みの生地が好ましい。実施例では、スムース素材にしている。
【課題を解決するための手段】
【０００８】
１．着用者の首に留める首掛部、着用者の胸の前側に垂らす前身頃部、こぼれた飲食物を受け止める受止部と、食卓上に敷く卓上部を設けている食事用エプロンにおいて、
前身頃部は、左右の両側にそれぞれタックを設け、縦方向の長さを左右の両側部で中央部より短くし、
食事用エプロンがほぼL形状に曲がる着用時、前身頃部は、左右の側部が前側に湾曲して、左右の両側に側壁が突出する溝形状になる構成にしていることを特徴とする。
２．上記１の食事用エプロンにおいて、
左右のタックは、それぞれ、３本にしていることを特徴とする。
３．上記１又は２の食事用エプロンにおいて、
卓上部は、裏面に滑り止めシートを付けていることを特徴とする。
４．上記３の食事用エプロンにおいて、
滑り止めシートは、ウレタン系樹脂を含む合成樹脂シートにしていることを特徴とする。
５．上記１〜４のいずれかの食事用エプロンにおいて、
首掛部は、着用者の首前部に接する伸縮性のある襟を付けていることを特徴とする。
６．上記５の食事用エプロンにおいて、
襟の生地は、伸縮性のあるメリヤス編みの生地にしていることを特徴とする。
７．上記５又は６の食事用エプロンにおいて、
襟の生地は、スムース素材にしていることを特徴とする。
【考案の効果】
【０００９】
着用者からこぼれた飲食物が前身頃部の左端又は右端から外側に飛び出し難い。
また、卓上部は、食卓上から滑り落ち難い。
また、首掛部は、着用者の首前部との間に隙間ができ難い。
【図面の簡単な説明】
【００１０】
【図１】本考案の実施形態の食事用エプロンの正面図。
【図２】図１のＡ−Ａ線端面図。
【図３】同食事用エプロンの使用状態を示す斜視図。
【考案を実施するための形態】
【００１１】
実施形態の食事用エプロンは、布製にしている。生地は、ポリエステル繊維の織布にしている。織布は、非透水性にしている。表面に撥水加工、裏面に防水加工を施している。また、織布は、縁に縁取りテープを縫い付けている。
【００１２】
食事用エプロンは、図１に示すように、縦長の長尺にし、上部を着用者の胸の幅位にし、中央部と下部を上部より幅広にしている。また、図１と図２に示すように、上から下に順次、着用者の首に留める首掛部１、着用者の胸の前側に垂らす前身頃部２、こぼれた飲食物を受け止める受止部３と、食卓上に敷く卓上部４を設けている。
【００１３】
首掛部１は、左右方向中央部に、着用者の首が入るU形状の凹部１１を上縁に開口して設けている。凹部１１の右側部は、裏面に雄型の面ファスナ１２を縫い付けている。凹部１１の左側部は、表面に雌型の面ファスナ１３を縫い付けている。一対の面ファスナ１２、１３は、着用者の首の後側で結合する構成にしている。
【００１４】
また、首掛部１は、凹部１１の底部に、着用者の首前部に接する伸縮性のある襟１４を縫い付けている。襟１４の生地は、伸縮性のあるメリヤス編みの生地にしている。実施例では、両面編みのスムース素材にしている。
【００１５】
前身頃部２は、左右の両側にそれぞれ３本のタック１６を設け、縦方向の長さを左右の両側部で中央部より短くしている。食事用エプロンがほぼL形状に曲がる着用時、前身頃部２は、左右の側部が前側に湾曲して、左右の両側に側壁が突出する溝形状になる構成にしている。
【００１６】
受止部３は、食事用エプロンの着用時、前身頃部２と卓上部４との間に架け渡されて凹状に垂れ、皿形状になる構成にしている。
【００１７】
卓上部４は、裏面に滑り止めシート１７を縫い付けている。滑り止めシート１７は、ウレタン系樹脂を含む合成樹脂シートにしている。実施例では、ウレタン系樹脂を含むポリエステル樹脂のテープ状シートにしている。
【００１８】
食事用エプロンは、着用時、図３に示すように、食卓ｔの前に座った着用者ｐの前側に垂らし、首掛部１を着用者ｐの首に嵌めて一対の面ファスナ１２、１３で留める。襟１４は、着用者ｐの首前部に接触させる。前身頃部２は、着用者ｐの胸の前側に垂らす。卓上部４は、食卓ｔの上に敷いて滑り止めシート１７を食卓ｔの上面に重ねる。卓上部４の上には、食事盆ｍを載せる。
【００１９】
すると、前身頃部２はほぼ縦に、受止部３はほぼ横に、卓上部４は横になる。食事用エプロンは、ほぼL形状に曲がった形状になる。前身頃部２は、タック１６によって縦方向の長さが短い左右の両側部が、中央部より、食事用エプロンのL形状曲がり部分の内方、着用者ｐの前方に位置する。即ち、前身頃部２は、左右の側部が前側に湾曲して、左右の両側に側壁が突出する溝形状になる。受止部３は、前身頃部２と卓上部４との間に架け渡されて凹状に垂れ、皿形状になる。
【００２０】
着用者ｐが飲食する際、こぼれた飲食物は、前身頃部２の前側を落下して受止部３に受け止められる。前身頃部２は、左右に側壁があり、飲食物が左端又は右端から外側に飛び出し難い。
【００２１】
卓上部４は、滑り止めシート１７によって食卓ｔの上から滑り落ち難い。受止部３は、こぼれた飲食物を受け止める皿形状に維持され易い。
【００２２】
着用者ｐの首前部と首掛部１の襟１４との間には、伸縮性の襟１４によって隙間ができ難い。こぼれた飲食物は、前身頃部２の裏側に入り込み難い。
【００２３】
［変形例］
本考案は、上記の実施形態に限定されない。次のような変形が例示される。
１．上記の実施形態において、食事用エプロンの生地は、織布にしているが、不織布にする。又は、合成樹脂フイルムにする。
２．上記の実施形態において、首掛部１の留め具は、面ファスナ１２、１３にしているが、その他のファスナ又は紐にする。
３．上記の実施形態において、タック１６は、３本にしているが、その他の本数にする。
４．上記の実施形態において、滑り止めシート１７は、ウレタン系樹脂を含むポリエステル樹脂シートにしているが、その他のシートにする。
【符号の説明】
【００２４】
１  首掛部
２  前身頃部
３  受止部
４  卓上部
１１  U形状の凹部、凹部
１２  雄型の面ファスナ
１３  雌型の面ファスナ
１２、１３  一対の面ファスナ
１４  伸縮性のある襟、襟
１６  タック
１７  滑り止めシート
ｔ  食卓
ｐ  着用者
ｍ  食事盆
【図１】
0003195240.tif 000003
【図２】
0003195240.tif 000004
【図３】
0003195240.tif 000005